(57)【要約】【課題】本考案は、普段は電線を介して通電して発光体を発光し、夜間、車両・歩行者に発光式道路鋲の存在を知らせ、災害時や、保守点検時等の停電時においても、蓄光材の作用により発光式道路鋲の存在を知らせることが出来る発光式道路鋲を提供することである。【解決手段】地中に埋設されるベース部材と、前記ベース部材を覆う、上面が道路面とほぼ同一面に設置される光透過性樹脂材製の本体カバーと、前記ベース部材内部から前記本体カバーを介して外部に光を発する発光体と、前記発光体が保持されている回路基板とを備えた発光式道路鋲において、前記本体カバーの間隙に蓄光材入りウレタン材を充填した構成を備える道路標識柱。【選択図】図１
0003132397.tif 000002
【実用新案登録請求の範囲】
【請求項１】
地中に埋設されるベース部材（１）と、前記ベース部材（１）を覆う、上面が道路面とほぼ同一面に設置される光透過性樹脂材製の本体カバー（２）と、前記ベース部材（１）内部から前記本体カバー（２）を介して外部に光を発する発光体（３）と、前記発光体（３）が保持されている回路基板（４）とを備えた発光式道路鋲において、前記本体カバー（２）の間隙に蓄光材入りウレタン材（５）を充填したことを特徴とする発光式道路鋲。
【請求項２】
前記ウレタン材（５）が前記回路基板（４）包み込む形で充填されていることを特徴とする請求項１記載の発光式道路鋲。
【請求項３】
前記ウレタン材（５）がウレタンゲルであることを特徴とする請求項１または２記載の発光式道路鋲。
【請求項４】
前記ウレタン材（５）が前記本体カバー（２）の間隙全体を充填していることを特徴とする請求項１〜３いずれか一項に記載の発光式道路鋲。
【請求項５】
前記本体カバー（２）が透明ポリカーボネート材であることを特徴とする請求項１〜４いずれか一項に記載の発光式道路鋲。
【請求項６】
前記発光体（３）がＬＥＤであることを特徴とする請求項１〜５いずれか一項記載の発光式道路鋲。
【請求項７】
前記発光体（３）が青色ＬＥＤであることを特徴とする請求項６記載の発光式道路鋲。
【請求項８】
前記ベース部材（１）が金属材製であることを特徴とする請求項１〜７いずれか一項記載の発光式道路鋲。
【考案の詳細な説明】
【技術分野】
【０００１】
本考案は、発光式道路鋲に関する。
また、本考案は、車道のセンターライン、車線変更、分離帯等に用いて有用な発光式道路鋲に関する。
【０００２】
更に、本考案は、夜間やトンネル内においても境界等を知らせる、蓄光機能を備えた発光式道路鋲に関する。
【背景技術】
【０００３】
従来、この種蓄光機能を備えた発光式道路鋲としては、特開２００４−１０８０５８号公報、特開２０００−３２７３６８号公報に記載のものが知られている。
また、蓄光機能を備えない発光式道路鋲の基本的構成としては、特許第３２６１２７６号公報に記載のものが知られている。
【０００４】
特開２００４−１０８０５８号公報、特開２０００−３２７３６８号公報に記載の発光式道路鋲は、何れも蓄光材を練り込んだ樹脂材を道路鋲の表面に貼着しただけの構成となっているため、夜間において十分な発光を期待することが難しかった。
特に、日中のトンネル内や高架下等の暗闇では、その機能を十分発揮することが出来なかった。
【０００５】
さらに、特許第３２６１２７６号公報に記載の発光式道路鋲においては、車輌等の負荷が本体カバーにかかることで、亀裂が発生する問題を惹起していた。
この亀裂発生後、更に車輌等の負荷がかかることで、亀裂が口を開き、そこから雨水が本体カバー内部に浸入する。
この結果、回路基板が漏電・腐食を起こし、発光の誤作動を起こすばかりでなく、最悪に場合、発光道路鋲が消灯する危険性が危惧された。
【０００６】
【特許文献１】特開２００４−１０８０５８号公報
【特許文献２】特開２０００−３２７３６８号公報
【特許文献３】特許第３２６１２７６号公報
【考案の開示】
【考案が解決しようとする課題】
【０００７】
本考案は、普段は電線を介して通電して発光体を発光し、夜間、車両・歩行者に発光式道路鋲の存在を知らせ、災害時や、保守点検時等の停電時においても、蓄光材の作用により発光式道路鋲の存在を知らせることが出来る発光式道路鋲を提供することである。
【課題を解決するための手段】
【０００８】
本考案の発光式道路鋲は、地中に埋設されるベース部材と、前記ベース部材を覆う、上面が道路面とほぼ同一面に設置される光透過性樹脂材製の本体カバーと、前記ベース部材内部から前記本体カバーを介して外部に光を発する発光体と、前記発光体が保持されている回路基板とを備えた発光式道路鋲において、前記本体カバーの間隙に蓄光材入りウレタン材を充填したことを特徴とする発光式道路鋲。
【考案の効果】
【０００９】
本考案は、以下に記載されるような効果を奏する。
請求項１記載の考案の発光式道路鋲によれば、災害時や、保守点検時等の停電時においても、蓄光材の作用により発光式道路鋲の存在を知らせることが出来る。
【００１０】
また、請求項２記載の考案の発光式道路鋲によれば、車輌等の負荷が本体カバーにかかっても、亀裂が発生することが無い。
更に、請求項３記載の考案の発光式道路鋲によれば、回路基板が漏電・腐食を起こし、発光の誤作動を引き起こしたり、発光道路鋲が消灯する危険性が無い。
【００１１】
更に、請求項４記載の考案の発光式道路鋲によれば、停電時においても、蓄光材の作用により発光式道路鋲全体から発光するため、その存在をより確実に知らせることが出来る。
また、請求項５記載の考案の発光式道路鋲によれば、車輌等の負荷がかかっても、本体カバーに亀裂が発生することが無い。
また、請求項６記載の考案の発光式道路鋲によれば、消費電力が少なくてすむ。
【００１２】
更に、請求項７記載の考案の発光式道路鋲によれば、蓄光材の機能を十分発揮出来る
更に、請求項８記載の考案の発光式道路鋲によれば、発光式道路鋲全体をより強固に出来る。
【考案を実施するための最良の形態】
【００１３】
以下、本考案を実施するための最良の形態について説明する。
図１乃至図５に基づき考案を実施するための最良の形態について説明する。
【００１４】
この種発光式道路鋲は、地中に埋設されるベース部材１と、このベース部材１を覆い、上面が道路面とほぼ同一面に設置される光透過性樹脂材製の本体カバー２と、ベース部材１内部から本体カバー２を介して外部に光を発する発光体３と、この発光体３が保持されている回路基板４とを備えており、更に、本体カバー２の間隙に蓄光材入りウレタン材５を充填した構成としている。
【００１５】
ベース部材１は、アルミ合金等で形成された略円筒形状を呈しており、道路面に掘られた穴に、接着剤を利用して固定・埋設される。
また、本体カバー２は、ベース部材１の段部と外周壁との間に嵌合され、固定用ボルト２１によりベース部材１に固定されている。
更に、ベース部材１の下方内側には、回路基板４に電気を供給するためのケーブル６とこのケーブル６と回路基板４とを接続するコネクタ７とが配置されている。
【００１６】
そして、コネクタ７は、電気絶縁材８により、ベース部材1内に固定・保持されている。
また、ウレタン材５は、回路基板４を包み込む形で充填されている。
このため、回路基板４を車輌の振動や荷重から保護できる。
特に、ウレタン材５が、ウレタンゲルであると効果が顕著である。
ウレタンゲルとは、ショアーＡ硬度で４０以下のゴム硬度であり、振動・衝撃吸収能力に優れている。
また、ウレタン材５は、図２、４、５に斜線で示す様に、本体カバー２の間隙全体を充填している態様とすることが望ましい。
【００１７】
このことにより、発光体３への電源が切れたとしても、ウレタン材５に含まれる蓄光材の蓄光作用により、道路鋲全体から発する光により、識別が容易に行えるものである。
また、本体カバー２は、機械的強度が強い点から、透明ポリカーボネート材が、好適に使用される。
そして、本体カバー２の発光体３が光を発する箇所は、プリズム機能を持たせる構造となっている。
更に、発光体３は、ＬＥＤであることが望ましい。その中でも、青色ＬＥＤが、蓄光効果を高める意味で好ましい。なぜなら、紫外線ＬＥＤは蓄光効果は高いが、肉眼での認識が難しく、人の眼を傷める危険性がある。
【００１８】
ウレタン材５に混入する蓄光材としては、光の照射により励起され蛍光または燐光を発する種々の有機又は無機物質が使用できる。その中でも、特に、蓄光顔料が好ましい。
そして、ウレタン材１００重量部に対し、蓄光材１〜５０重量部が使用される。
【００１９】
また、本考案は上述の発明を実施するための最良の形態に限らず本考案の要旨を逸脱することなくその他種々の構成を採り得ることはもちろんである。
【図面の簡単な説明】
【００２０】
【図１】発光式道路鋲にかかる発明の実施の形態を示す全体図である。
【図２】図１のＡ−Ａ断面図である。
【図３】図１の本体カバーのみを取り出した平面図である。
【図４】図３のＢ−Ｂ断面図である。
【図５】図１の本体カバーの間隙にウレタン材を充填した状態を示した図である。
【符号の説明】
【００２１】
１  ベース部材
２  本体カバー
３  発光体
４  回路基板
５  ウレタン材
６  ケーブル
７  コネクタ
８  電気絶縁材
【図１】
0003132397.tif 000003
【図２】
0003132397.tif 000004
【図３】
0003132397.tif 000005
【図４】
0003132397.tif 000006
【図５】
0003132397.tif 000007